(57)【特許請求の範囲】
【請求項１】
基板上に複数の有機ＥＬ素子を配置した有機ＥＬパネルであって、
前記有機ＥＬ素子は、第１電極と有機層と第２電極を積層した構造を有して、一つの前記有機ＥＬ素子が一つの発光単位を構成し、
前記第１電極は前記有機ＥＬ素子毎に複数の独立した電極パターンを有する副電極を備え、該副電極毎に前記発光単位を分割する副発光単位を構成し、
前記第１電極の各副電極に電気供給する配線を備え、
前記配線は突出部を備え、
前記副電極は、前記副電極の一方向の幅よりも狭い幅を有する狭幅部を有し、
前記狭幅部の一部と前記突出部の一部とを積層した積層部で前記副電極と前記配線とが接続されていることを特徴とする有機ＥＬパネル。
【請求項２】
前記突出部の幅は、前記狭幅部の幅よりも大きいことを特徴とする請求項１に記載の有機ＥＬパネル。
【請求項３】
前記狭幅部の比抵抗が前記突出部の比抵抗より大きいことを特徴とする請求項１又は２に記載の有機ＥＬパネル。
【請求項４】
前記配線の一方向に沿ってストライプ状のパターンを有し、当該配線に沿って複数の前記第１電極が形成され、前記第２電極は前記配線と交差する方向にストライプ状のパターンを有することを特徴とする請求項１又は２に記載の有機ＥＬパネル。
【請求項５】
前記積層部の面積は、前記配線に電流を流す給電部から前記狭幅部までの距離が遠い前記副電極における面積が前記給電部から前記狭幅部までの距離が近い前記副電極における面積より大きいことを特徴とする請求項１又は２に記載の有機ＥＬパネル。
【請求項６】
隣接する複数の有機ＥＬ素子がそれぞれ異なる色で発光することを特徴とする請求項１又は２に記載の有機ＥＬパネル。
【請求項７】
第１の色で発光する前記有機ＥＬ素子と第２の色で発光する前記有機ＥＬ素子では、前記副電極の数が異なることを特徴とする請求項６記載の有機ＥＬパネル。
【請求項８】
前記狭幅部において前記副電極と前記配線とが分断されていることを特徴とする請求項１又は２に記載の有機ＥＬパネル。
【発明の詳細な説明】
【技術分野】
【０００１】
本発明は、有機ＥＬパネルに関するものである。
【背景技術】
【０００２】
有機ＥＬパネルは、基板上に有機ＥＬ素子を単数または複数配置しており、ディスプレイや照明光源など、各種の発光装置として用いられている。有機ＥＬパネルにおける一つの発光単位となる有機ＥＬ素子は、一対の電極間に発光層を含む有機層を積層した構造を有しており、一対の電極の一方が陽極、他方が陰極となって、陽極側から注入された正孔と陰極側から注入された電子が有機層内で再結合することに起因して光を放出する。【０００３】
有機ＥＬパネルの駆動方式として、パッシブマトリクス駆動方式（単純マトリクス駆動方式）が知られている。これは、ストライプ状の電極パターンで形成した陽極に対して、これとは交差するストライプ状の電極パターンで陰極を形成し、陽極と陰極の交差部分に有機層を挟持した有機ＥＬ素子を複数マトリクス状に形成したもので、選択した陰極と陽極間に電圧を印加してその陰極と陽極によって形成された有機ＥＬ素子を発光させるものである（下記特許文献１参照）。
【先行技術文献】
【特許文献】
【０００４】
【特許文献１】特開２００３−２６４０６９号公報
【発明の概要】
【発明が解決しようとする課題】
【０００５】
有機ＥＬパネルの発光要素となる有機ＥＬ素子は、一対の電極間に有機層を積層した構造を有するものであるため、有機層の成膜に不具合があると一対の電極間に短絡が生じ易い。有機ＥＬ素子における一対の電極間に短絡個所が存在すると、一対の電極間に電圧を印加した場合にその短絡個所に電流が流れて有機層内に正孔と電子を注入する機能が得られなくなり、その有機ＥＬ素子は発光不良になる。【０００６】
複数の有機ＥＬ素子を基板上に配列した有機ＥＬパネルでは、前述した一対の電極間の短絡で一つの有機ＥＬ素子が発光不良になると、一つの有機ＥＬ素子を発光させることによって得られる表示や照明などの機能が得られなくなり、有機ＥＬパネルの品質が低下する問題が生じる。例えば、隣接する３つの有機ＥＬ素子をそれぞれ異なる色に発光させて３色の合成でカラー表示を行う場合、３つの有機ＥＬ素子の中の一つが発光不良になると所望の合成色を得ることができなくなり、カラー表示の品質が低下する問題が生じる。【０００７】
本発明は、このような問題に対処することを課題の一例とするものである。すなわち、一対の電極間に短絡が生じても一つの有機ＥＬ素子の発光機能を維持して有機ＥＬパネルの品質低下を抑制すること、等が本発明の目的である。
【課題を解決するための手段】
【０００８】
このような目的を達成するために、本発明による有機ＥＬパネルは、以下の構成を少なくとも具備するものである。
基板上に複数の有機ＥＬ素子を配置した有機ＥＬパネルであって、前記有機ＥＬ素子は、第１電極と有機層と第２電極を積層した構造を有して、一つの前記有機ＥＬ素子が一つの発光単位を構成し、前記第１電極は前記有機ＥＬ素子毎に複数の独立した電極パターンを有する副電極を備え、該副電極毎に前記発光単位を分割する副発光単位を構成し、前記第１電極の各副電極に電気供給する配線を備え、前記配線は突出部を備え、前記副電極は、前記副電極の一方向の幅よりも狭い幅を有する狭幅部を有し、前記狭幅部の一部と前記突出部の一部とを積層した積層部で前記副電極と前記配線とが接続されていることを特徴とする有機ＥＬパネル。
【図面の簡単な説明】
【０００９】
【図１】本発明の一実施形態に係る有機ＥＬパネルの構造を示した説明図（同図（ａ）が平面的な構造を示した説明図、同図（ｂ）がＸ−Ｘ断面図）である。
【図２】本発明の一実施形態に係る有機ＥＬパネルにおける狭幅部の機能を示した説明図である。
【図３】本発明の一実施形態に係る有機ＥＬパネルの他の形態を示した説明図である。
【図４】本発明の一実施形態に係る有機ＥＬパネルの他の形態を示した説明図である。
【発明を実施するための形態】
【００１０】
以下、図面を参照しながら本発明の実施形態を説明する。本発明の実施形態は図示の内容を含むがこれのみに限定されるものではない。図１は本発明の一実施形態に係る有機ＥＬパネルの構造を示した説明図（同図（ａ）が平面的な構造を示した説明図、同図（ｂ）がＸ−Ｘ断面図）である。
【００１１】
有機ＥＬパネル１は、基板１０上に複数の有機ＥＬ素子１Ａを配置した構造を有する。有機ＥＬ素子１Ａは、第１電極１１と有機層１２と第２電極１３を積層した構造を有している（有機層１２は発光層１２Ａを含んでいる。）。一つの有機ＥＬ素子１Ａは一つの発光単位Ｌｕを構成している。ここでの発光単位Ｌｕは、入力される信号で一体となって発光する要素又はその集合体を指している。
【００１２】
第１電極１１は有機ＥＬ素子１Ａ毎に複数の独立した電極パターンを有する副電極１１Ｓを備えており、副電極１１Ｓ毎に発光単位Ｌｕを分割する副発光単位Ｌｓを構成している。副発光単位Ｌｓを構成する副電極１１Ｓはそれぞれ絶縁膜１６によって絶縁区画されている。
【００１３】
有機ＥＬパネル１は、第１電極１１とは別に第１電極１１の各副電極１１Ｓに電力を供給する配線１４を備えている。第１電極１１の各副電極１１Ｓと配線１４とは、副電極１１Ｓの一部と配線１４の一部とを積層した積層部１５で接続されている。図示の例では、副電極１１Ｓの一部の上に配線１４の一部が積層されているが、それとは逆に配線１４の一部の上に副電極１１Ｓの一部が積層されていてもよい。
【００１４】
図２に示すように、積層部１５近傍の副電極１１Ｓの一部は、過剰電流による加熱で分断して副電極１１Ｓを配線１４から切り離す機能を持つ狭幅部１１Ａを有する。ここでの狭幅部１１Ａは副電極１１Ｓの一部であり、副電極１１Ｓのパターニング時に副電極１１Ｓの本体部と同時に形成されるものであって、副電極１１Ｓの一方向の幅より狭い幅を有する。副電極１１Ｓの本体部とは有機ＥＬ素子１Ａの陽極又は陰極となる部分である。
【００１５】
そして、有機ＥＬパネル１では、副電極１１Ｓの比抵抗が配線１４の比抵抗より大きい。すなわち、積層部１５においては、積層された副電極１１Ｓの一部の比抵抗が配線１４の一部の比抵抗より大きい。副電極１１Ｓは狭幅部１１Ａを含めてほぼ均一な材料で形成されており、狭幅部１１Ａから積層部１５を介して配線１４に至るところで段階的に比抵抗が低くなっている。
【００１６】
配線１４は一方向に沿ってストライプ状のパターンを有し、この配線１４に沿って複数の第１電極１１（副電極１１Ｓ）が形成され、第２電極１３は配線１４と交差する方向にストライプ状のパターンを有する。ここで、第２電極１３は有機ＥＬ素子１Ａ毎の複数の副電極１１Ｓで共通の電極になっている。図示の例では、５個の副電極１１Ｓに対して一つの第２電極１３が形成されている。
【００１７】
このような有機ＥＬパネル１は、第２電極１３と配線１４の一方を走査線とし他方をデータ線としてパッシブマトリクス駆動することができる。この際、選択された有機ＥＬ素子１Ａは、第１電極１１と第２電極１３の間に順方向の電圧（陽極側が正で陰極側が負となる電圧）が印加され、陽極側から注入された正孔と陰極側から注入された電子が有機層１２で再結合して光を放出する。この有機ＥＬパネル１は、複数の有機ＥＬ素子１Ａを選択的に発光させて情報を表示する表示装置や、所定領域の有機ＥＬ素子１Ａを同時に発光させる照明装置、その他各種光学機器の光源などに成りうるもので、その用途は特に限定されない。
【００１８】
この有機ＥＬパネル１は、有機ＥＬ素子１Ａによって構成される一つの発光単位Ｌｕが複数の独立した電極パターンを有する副電極１１Ｓによって構成される副発光単位Ｌｓに分割されている。これによって、仮に一つの副発光単位Ｌｓが発光不良になっても、他の副発光単位Ｌｓの発光で一つの有機ＥＬ素子１Ａの一つの発光単位Ｌｕの機能が維持される。例えば、一つの有機ＥＬ素子１Ａが一つの色画素を形成しているとすると、仮に一つの副発光単位Ｌｓが発光不良になっても、他の副発光単位Ｌｓによってその色の発光が維持されることになり、一つの有機ＥＬ素子１Ａ全体が発光不良になる場合と比較して有機ＥＬパネル１全体の品質低下を抑制することが可能になる。
【００１９】
このような副発光単位Ｌｓの機能を得るためには、一つの副発光単位Ｌｓの発光不良が一つの発光単位Ｌｕ内での他の副発光単位Ｌｓに悪影響を与えないことが必要になる。このために、各副電極１１Ｓは、副電極１１Ｓの一部と配線１４の一部とを積層した積層部１５で副電極１１Ｓと配線１４とが接続されるようになっており、更に積層部１５近傍の副電極１１Ｓの一部は、過剰電流による加熱で分断して副電極１１Ｓを配線１４から切り離す機能を持つ狭幅部１１Ａを有する構造になっている。狭幅部１１Ａは副電極１１Ｓの配線１４に沿った幅より狭い幅を有している。また、突出部１４Ａは配線１４に沿って狭幅部１１Ａの幅より広い幅を有している。そして、突出部１４Ａの幅内に副電極１１Ｓと配線１４を接続する積層部１５が形成されている。
【００２０】
図２によって狭幅部１１Ａの機能を説明する。特定の有機ＥＬ素子１Ａにおいて第１電極１１の一つの副電極１１Ｓと第２電極１３との間に短絡が生じた場合に、この特定の有機ＥＬ素子１Ａにおける副電極１１Ｓを配線１４から切り離すことで短絡の影響が発光単位Ｌｕ内の他の副電極１１Ｓに及ばないようにしている。
【００２１】
ここで、同図（ａ）に示すように、特定された有機ＥＬ素子１Ａ（発光単位Ｌｕ）において、副電極１１Ｓと第２電極１３との間に短絡個所Ｐが存在する場合、副電極１１Ｓと第２電極１３との間に電圧が印加された状態になると、短絡個所Ｐを経由する過剰電流によって副電極１１Ｓと第２電極１３との間には所望の電位差が保てず、この副電極１１Ｓによって構成される副発光単位Ｌｓは発光不良となる。この状態で短絡個所Ｐを経由して流れる過剰電流は、副電極１１Ｓよりも比抵抗の低い配線１４に向かって流れることになるが、配線１４に向かう電流は全て副電極１１Ｓの一部である狭幅部１１Ａを通過することになるので、ここに電流が集中し、比較的抵抗値の高い狭幅部１１Ａで効果的にジュール熱を発生させる。このジュール熱による加熱で狭幅部１１Ａは同図（ｂ）に示すように分断され、短絡個所Ｐが存在する特定の副発光単位Ｌｓにおける副電極１１Ｓを配線１４から切り離す。
【００２２】
仮に、一つの副電極１１Ｓと第２電極１３との間に短絡個所Ｐが存在した状態で副電極１１Ｓと配線１４の接続が維持されていると、パッシブマトリクス駆動の有機ＥＬパネルでは、短絡が生じている副発光単位Ｌｓに発光不良が生じるだけでなく、パネル全体に影響する発光不良が発生する問題が生じる。陽極側の１本の電極とそれに交差する陰極側の１本の電極との間で一部に短絡個所が有ると、交差する２本の電極が陽極又は陰極となる全ての副発光単位Ｌｓで正常に発光又は非発光を行うことができなくなり、各電極に沿って線状の異常発光（暗線又は輝線）が生じることになる。
【００２３】
また、短絡している陽極と陰極間に定常的に逆バイアス電圧を印加する駆動方式では、短絡個所で定常的に大電流（リーク電流）が流れることになり、これによる発熱で周辺の副発光単位Ｌｓが熱損を起こし、長期駆動時には短絡個所の周りの副発光単位Ｌｓで発光不良の範囲が拡がってしまう問題も生じる。
【００２４】
本発明の実施形態では、短絡が生じた副発光単位Ｌｓを速やかに配線１４から切り離すことで、一つの発光単位Ｌｕ内の他の副発光単位Ｌｓに悪影響が及ばないようにしており、他の副発光単位Ｌｓの正常な発光で発光単位Ｌｕの機能低下を最小限に抑えることを可能にしている。
【００２５】
この狭幅部１１Ａの構造において、副電極１１Ｓと同じ比抵抗の高い材料で狭幅部１１Ａを形成していることが一つの特徴になっている。仮に、副電極１１Ｓと配線１４とを副電極１１Ｓより抵抗の低い材料のパターンで結合したとすると、この結合部分では抵抗が低いことにより効果的なジュール熱が得られず、過剰電流がしばらくの間流れ続けて周辺の副発光単位Ｌｓの熱損を招く虞がある。また、狭幅部１１Ａを形成することなく副電極１１Ｓの一辺に配線１４を接続した場合には、部分的に電流を集中させる個所がないので効果的に副電極１１Ｓと配線１４とを切り離すことができない。すなわち、副電極１１Ｓの一部として狭幅部１１Ａを形成することで、一つの副電極１１Ｓと第２電極１３との間に短絡が生じた場合に速やかに狭幅部１１Ａが分断され、副電極１１Ｓを配線１４から切り離すことができる。
【００２６】
また別の特徴は、副電極１１Ｓの一部と配線１４の一部とを直接積層させている点にある。ここでは抵抗の比較的高い副電極１１Ｓと抵抗の比較的低い配線１４とを直接積層させており、その間に中間的な抵抗を有する介在物が存在しない。これによって、積層部１５の近傍における狭幅部１１Ａで局部的に電流密度が高くなり、ここで積極的な加熱が生じて狭幅部１１Ａが分断されることになる。これによってより効果的に短絡が生じた副電極１１Ｓを配線１４から切り離すことができる。
【００２７】
また図示の形態例では、前述した配線１４の一部は、配線１４の側縁から副電極１１Ｓ側に突出した突出部１４Ａを有する。これによると、配線１４の幅の如何に拘わらず、前述した積層部１５の長さを任意に設定することができる。これによって、副電極１１Ｓへの電気供給を積層部１５の長さによって適宜調整することができる。
【００２８】
また図示の形態例では、前述した配線１４の一部の幅Ｗ１が副電極１１Ｓの一部の幅Ｗ２より大きく形成されている。すなわち、配線１４における突出部１４Ａの幅Ｗ１が副電極１１Ｓの狭幅部１１Ａの幅Ｗ２より大きく形成されている。これによると、過剰電流が集中する狭幅部１１Ａの幅をより狭くすることで、副電極１１Ｓと配線１４との分断を速やかに行うことができると共に、副電極１１Ｓのパターンと配線１４のパターンとを接続する際に、突出部１４Ａの幅Ｗ１と狭幅部１１Ａの幅Ｗ２との差が位置ずれを許容することになり、精度の高い位置決めを行うことなく積層部１５の幅を一定に保ち、全ての有機ＥＬ素子１Ａにおいて副電極１１Ｓへの電気供給を安定化させることができる。
【００２９】
図３は、有機ＥＬパネル１の他の形態を示した説明図である。この形態例では、積層部１５の面積が配線１４に沿って形成される副電極１１Ｓ毎に異なっており、図示の例では、積層部１５の面積は、配線１４に電流を流す給電部２０から狭幅部１１Ａまでの距離が遠い副電極１１Ｓ（１１Ｓ−１）における面積が給電部２０から狭幅部１１Ａまでの距離が近い副電極１１Ｓ（１１Ｓ−２）における面積より大きくなっている。
【００３０】
ここでは、積層部１５の面積を異ならせるのに、突出部１４Ａの長さ（Ｌ１，Ｌ２）を変えており、狭幅部１１Ａの幅は何れの副電極１１Ｓ（１１Ｓ−１，１１Ｓ−２）においても一定にしている。これによって、積層部１５の面積を変えても狭幅部１１Ａの分断性能には影響がないようにしている。このように、積層部１５の面積を、給電部２０から狭幅部１１Ａまでの距離が遠い副電極１１Ｓ（１１Ｓ−１）における面積が給電部２０から狭幅部１１Ａまでの距離が近い副電極１１Ｓ（１１Ｓ−２）における面積より大きくすることで、配線１４の抵抗による電圧降下を積層部１５の面積の違いによって相殺でき、給電部２０に近い側と遠い側とで副発光単位Ｌｓの発光輝度にむらが生じる問題を解消し、有機ＥＬパネル１全体で均一な輝度を得ることができる。
【００３１】
図４は、有機ＥＬパネル１の他の形態例を示した説明図である（同図（ａ）がパネルの全体構成を示し、同図（ｂ）が同図（ａ）におけるＡ部の拡大図を示している）。この有機ＥＬパネル１は、複数の有機ＥＬ素子１Ａからなる発光部１００が複数配列され、その発光部１００内の隣接する複数の有機ＥＬ素子１Ａがそれぞれ異なる色（Ｃ１，Ｃ２，Ｃ３）で発光するものである。この例においても、一つの有機ＥＬ素子１Ａは一つの発光単位Ｌｕを構成し、一つの発光単位Ｌｕは副電極１１Ｓによって形成される複数の副発光単位Ｌｓによって構成されている。この有機ＥＬパネル１は、例えば複数色の合成でカラー表示を行うことができるものであり、その場合には前述した発光部１００が一つの画素になる。
【００３２】
図示の例では、第１の有機ＥＬ素子１Ａ−１が第１の色Ｃ１で発光し、第２の有機ＥＬ素子１Ａ−２が第２の色Ｃ２で発光し、第３の有機ＥＬ素子１Ａ−３が第３の色Ｃ３で発光する。ここに示した例では、第１の色Ｃ１で発光する第１の有機ＥＬ素子１Ａ−１と第２の色Ｃ２で発光する第２の有機ＥＬ素子１Ａ−２では、副電極１１Ｓ（副発光単位Ｌｓ）の数が異なっている。また、第２の色Ｃ２で発光する第２の有機ＥＬ素子１Ａ−２と第３の色Ｃ３で発光する第３の有機ＥＬ素子１Ａ−３でも、副電極１１Ｓ（副発光単位Ｌｓ）の数が異なっている。
【００３３】
副電極１１Ｓ（副発光単位Ｌｓ）の数は多くするほど一つの副発光単位Ｌｓが発光不良になった場合の影響を小さくすることができるが、副発光単位Ｌｓを増やすとそれぞれの副電極１１Ｓの周囲を絶縁膜１６で覆うことになるので開口率が犠牲になる。一方、有機ＥＬ素子１Ａの発光色は、同じ電圧で駆動しても色毎に輝度が異なることがあり、輝度が低い色の場合は犠牲になる開口数をできるだけ少なくして他の色との輝度バランスを保つことが必要になる。図示の例では、このようなことを考慮して、色毎に副電極１１Ｓ（副発光単位Ｌｓ）の数を変えて色毎の輝度バランスを調整している。
【００３４】
以下に、図１を参照しながら本発明の実施形態に係る有機ＥＬパネルの構成例を更に具体的に説明する。
【００３５】
基板１０は、ガラス、プラスチック、表面に絶縁材料の層が形成された金属など、有機ＥＬ素子１Ａを支持することができる基材によって形成される。第１電極１１（副電極１１Ｓ）を形成する透明導電膜層は、ＩＴＯ（Indium Tin Oxide），ＩＺＯ（Indium Zinc Oxide），酸化亜鉛系透明導電膜，ＳｎＯ2系透明導電膜，二酸化チタン系透明導電膜などの透明金属酸化物を用い、配線１４は、低電気抵抗金属である銀（Ａｇ）や銀合金，アルミニウム（Ａｌ）やアルミニウム合金などを用いることができる。基板１０上での第１電極１１（副電極１１Ｓ）或いは配線１４のパターン形成は、スパッタリングや蒸着による成膜後、フォトリソグラフィ工程などによって行うことができる。
【００３６】
絶縁膜１６は、パターニングされた第１電極１１（副電極１１Ｓ）及び配線１４の絶縁性を確保するために設けられ、ポリイミド樹脂，アクリル系樹脂，酸化シリコン，窒化シリコンなどの材料が用いられる。絶縁膜１６の形成は、第１電極１１（副電極１１Ｓ）及び配線１４が形成された基板１０上に成膜した後、副電極１１Ｓ上に副発光単位Ｌｓの開口を形成するパターニングがなされる。具体的には、副電極１１Ｓ及び配線１４が形成された基板１０にスピンコート法により所定の塗布厚となるように膜を形成し、露光マスクを用いて露光処理，現像処理を施すことにより、副発光単位Ｌｓの開口パターン形状を有する絶縁膜１６の層が形成される。この絶縁膜１６は、配線１４を覆い、副電極１１Ｓのパターン間を埋めると共にその側端部分を一部覆うように形成され、格子状に形成される。これによって、副電極１１Ｓ上に副発光単位Ｌｓを開口して、その領域が絶縁膜１６によって絶縁区画されることになる。
【００３７】
図示省略した隔壁が、マスク等を用いることなく第２電極１３のパターンを形成するため、或いは隣り合う第２電極１３を完全に電気的に絶縁するために、配線１４と交差する方向にストライプ状に形成される。具体的には、絶縁膜１６の上に光感光性樹脂等の絶縁材料を、有機ＥＬ素子１Ａを形成する有機層１２と第２電極１３の膜厚の総和より厚い膜厚にスピンコート法等で塗布形成した後、この光感光性樹脂膜上に第１電極１１に交差するストライプ状パターンを有するフォトマスクを介して紫外線等を照射し、層の厚さ方向の露光量の違いから生じる現像速度の差を利用して、側部が下向きのテーパ面を有する隔壁を形成する。
【００３８】
有機層１２は、発光層１２Ａを含む発光機能層の積層構造を有し、第１電極１１と第２電極１３の一方を陽極とし他方を陰極とすると、陽極側から順次、正孔注入層、正孔輸送層、発光層、電子輸送層、電子注入層などが選択的に形成される。有機層１２の成膜は乾式の成膜として真空蒸着法などが用いられ、湿式の成膜としては塗布や各種の印刷法が用いられる。
【００３９】
有機層１２の形成例を以下に説明する。例えば先ず、ＮＰＢ（N,N-di(naphtalence)-N,N-dipheneyl-benzidene）を正孔輸送層として成膜する。この正孔輸送層は、陽極から注入される正孔を発光層に輸送する機能を有する。この正孔輸送層は、１層だけ積層したものでも２層以上積層したものであってもよい。また正孔輸送層は、単一の材料による成膜ではなく、複数の材料により一つの層を形成しても良く、電荷輸送能力の高いホスト材料に電荷供与（受容）性の高いゲスト材料をドーピングしてもよい。
【００４０】
次に、正孔輸送層の上に発光層を成膜する。一例としては、抵抗加熱蒸着法により、赤（Ｒ）、緑（Ｇ）、青（Ｂ）の発光層を、塗分け用マスクを利用してそれぞれの成膜領域に成膜する。赤（Ｒ）としてＤＣＭ１（４−（ジシアノメチレン）−２−メチル−６−（４’−ジメチルアミノスチリル）−４Ｈ−ピラン）等のスチリル色素等の赤色を発光する有機材料を用いる。緑（Ｇ）としてアルミキノリノール錯体（Ａｌｑ3） 等の緑色を発光する有機材料を用いる。青（Ｂ）としてジスチリル誘導体、トリアゾール誘導体等の青色を発光する有機材料を用いる。勿論、他の材料でも、ホスト‐ゲスト系の層構成でも良く、発光形態も蛍光発光材料を用いてもりん光発光材料を用いたものであってもよい。
【００４１】
発光層の上に成膜される電子輸送層は、抵抗加熱蒸着法等の各種成膜方法により、例えばアルミキノリノール錯体（Ａｌｑ3 ）等の各種材料を用いて成膜する。電子輸送層は、陰極から注入される電子を発光層に輸送する機能を有する。この電子輸送層は、１層だけ積層したものでも２層以上積層した多層構造を有してもよい。また、電子輸送層は、単一の材料による成膜ではなく、複数の材料により一つの層を形成しても良く、電荷輸送能力の高いホスト材料に電荷供与（受容）性の高いゲスト材料をドーピングして形成してもよい。
【００４２】
有機層１２上に形成される第２電極１３は、こちらが陰極の場合には、陽極より仕事関数の小さい（例えば４ｅＶ以下）材料（金属，金属酸化物，金属フッ化物，合金等）を用いることができ、具体的には、アルミニウム（Ａｌ），インジウム（Ｉｎ），マグネシウム（Ｍｇ）等の金属膜、ドープされたポリアニリンやドープされたポリフェニレンビニレン等の非晶質半導体、Ｃｒ2Ｏ3，ＮｉＯ，Ｍｎ2Ｏ5等の酸化物を使用できる。構造としては、金属材料による単層構造、ＬｉＯ2／Ａｌ等の積層構造等が採用できる。
【００４３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。上述の各図で示した実施の形態は、その目的及び構成等に特に矛盾や問題がない限り、互いの記載内容を組み合わせることが可能である。また、各図の記載内容はそれぞれ独立した実施形態になり得るものであり、本発明の実施形態は各図を組み合わせた一つの実施形態に限定されるものではない。
【符号の説明】
【００４４】
１：有機ＥＬパネル，１Ａ：有機ＥＬ素子，
１０：基板，１１：第１電極，１１Ｓ：副電極，１１Ａ：狭幅部，
１２：有機層，１２Ａ：発光層，
１３：第２電極，１４：配線，１５：積層部，１６：絶縁膜，２０：給電部，
Ｌｕ：発光単位，Ｌｓ：副発光単位
【図１】
0005536220.tif 000002
【図２】
0005536220.tif 000003
【図３】
0005536220.tif 000004
【図４】
0005536220.tif 000005